(57)【要約】【課題】腰痛防止用クッションと防災頭巾とを兼ねた多目的クッションの提供【解決手段】多目的クッション１は、ゴムバンド２３を備えた第１クッション２と、第１クッション２より大きく、ゴムバンド２３によって第１クッション２が固定される第２クッション３と、を備えている。第２クッション３の長手方向端部には、それぞれ紐３４が設けられている。第１クッション２を所定の位置に配置することにより、多目的クッション１は腰痛防止用クッションとして機能する。紐３４を結ぶと多目的クッション１は防災頭巾として機能する。【選択図】図１
0003201476.tif 000002
【実用新案登録請求の範囲】
【請求項１】
固定部を備えた第１クッションと、
前記第１クッションより大きく、前記固定部によって前記第１クッションが固定される第２クッションと、を備えた多目的クッションであって、
前記第２クッションの長手方向端部には、係合部と、前記係合部と係合可能な被係合部と、が設けられ、
前記第１クッションが第１の位置にある場合には、腰痛防止用クッションとして機能し、
前記第１クッションが前記第１の位置とは異なる第２の位置にある場合には、前記係合部と前記被係合部とを係合することにより防災頭巾として機能することを特徴とする多目的クッション。
【請求項２】
前記第１クッションは折り畳み可能であって、
前記固定部は、前記第１クッションを折り畳んだ状態で前記第２クッションに固定可能であることを特徴とする請求項１に記載の多目的クッション。
【請求項３】
前記第２クッションは折り畳み可能であって、
前記固定部は、前記第２クッションを折り畳んだ状態で、前記第１クッションを前記第２クッションに固定可能であることを特徴とする請求項１又は２に記載の多目的クッション。
【請求項４】
前記固定部は、ゴムバンドであって、
前記ゴムバンドは、前記第１クッションを前記第２クッションに対して前記長手方向に移動可能に固定することを特徴とする請求項１から３のいずれか１項に記載の多目的クッション。
【請求項５】
前記第２クッションは、弾性部材と、前記弾性部材を覆うカバーと、を有し、
前記弾性部材には、前記防災頭巾として機能している際に外側に位置する面であって、前記第２クッションの前記長手方向に直行する方向に全幅に亘って切り込みが形成されていることを特徴とする請求項１から４のいずれか１項に記載の多目的クッション。
【請求項６】
前記カバーは、前記長手方向に沿ったチャックを有し、
前記チャックは、前記カバーの前記長手方向中央部分から前記長手方向外側に移動することにより前記カバーを開放することを特徴とする請求項５に記載の多目的クッション。
【請求項７】
前記第２クッションは、前記長手方向に交差する方向が開放された第１ポケットと、前記長手方向の一方が開放された第２ポケットとを有することを特徴とする請求項１から６のいずれか１項に記載の多目的クッション。
【考案の詳細な説明】
【技術分野】
【０００１】
本考案は、腰痛防止用クッションと防災頭巾とを兼ねる多目的クッションに関するものである。
【背景技術】
【０００２】
従来の腰痛防止用クッションは、背部支持体と、背部支持体に対して移動可能な腰部クッション体と、椅子と係合可能な第１係合部及び第２係合部と、を備えている（例えば、特許文献１）。腰痛防止用クッションを椅子に係合させた状態で、腰部クッション体を背部支持体に対して移動させることにより、腰部クッション体を最適な位置へ配置して腰痛を防止する。
【０００３】
他の腰痛防止用クッションとして、シートカバーに取付可能であって、クッション背部と、腰部用クッションと、クッション座部と、を備えたクッションが知られている（例えば、特許文献２）。腰部用クッションには、ポケット部が設けられていて、ポケット部にタオル等を収容させて厚み調節している。
【０００４】
さらに、平常時はクッションとして使用し災害時に防災頭巾として使用することができるクッション兼防災頭巾が知られている（例えば、特許文献３）。クッション兼用防災頭巾は、頭巾部と、肩当部とを備え、頭巾部には外周を閉鎖するファスナーが設けられている。ファスナーを閉じることにより、クッションとして使用することができる。
【先行技術文献】
【特許文献】
【０００５】
【特許文献１】特開２０１５―１００５０８号公報
【特許文献２】特開２００４−３２９８１２号公報
【特許文献３】実開平６−４８６９６号公報
【考案の概要】
【考案が解決しようとする課題】
【０００６】
しかし、上記の腰痛防止用クッションでは椅子に取り付けることを前提として構成されているため、災害などの緊急時には即座に椅子から取り外すことができず、防災クッションとしての役割を果たさなかった。さらに、クッションの厚み調整にはタオル等の別の調整用品が必要となっていた。また、ファスナーを閉じることによりクッションとして使用可能ではあるが、腰痛を抱えている人が長時間使用するには適していなかった。
【０００７】
そこで、本考案では、腰痛防止用クッションと防災頭巾とを兼ねた多目的クッションを提供することを目的とする。
【課題を解決するための手段】
【０００８】
上記課題を解決するために本考案は、固定部を備えた第１クッションと、前記第１クッションより大きく、前記固定部によって前記第１クッションが固定される第２クッションと、を備えた多目的クッションであって、前記第２クッションの長手方向端部には、係合部と、前記係合部と係合可能な被係合部と、が設けられ、前記第１クッションが第１の位置にある場合には、腰痛防止用クッションとして機能し、前記第１クッションが前記第１の位置とは異なる第２の位置にある場合には、前記係合部と前記被係合部とを係合することにより防災頭巾として機能することを特徴とする多目的クッションを提供する。
【０００９】
このような構成によると、多目的クッションを腰痛防止用クッションとして用いるとともに、防災頭巾として用いることができる。これにより、緊急災害時には、常時使用している腰痛防止用クッションが防災頭巾となり、頭上からの落下物から頭部を保護することができる。多目的クッションを腰痛防止用クッションとして用いる際は、第１クッションに加えて第２クッションのクッション性も加味することができるため、多目的クッションの柔軟性を高め効果的に腰痛を緩和することができる。多目的クッションが防災頭巾として機能する際は、第１クッションと第２クッションとで頭部を保護することができるため、災害時により安全に避難することができる。腰痛防止用クッションとして機能する際に、係合部と被係合部とを係合させて第２クッションの形状を固定して使用しても良い。
【００１０】
また、前記第１クッションは折り畳み可能であって、前記固定部は、前記第１クッションを折り畳んだ状態で前記第２クッションに固定可能であることが好ましい。
【００１１】
このような構成によると、第１クッションを折り畳んだ状態で第２クッションに固定することができるため、各個人の体型や腰痛の状態に合わせた高さで第１クッションを固定できる。つまり、第１クッションを折り畳んで第２クッションに固定することにより、第１クッションの高さを高くすることができる。これにより、腰痛を緩和することができる。
【００１２】
また、前記第２クッションは折り畳み可能であって、前記固定部は、前記第２クッションを折り畳んだ状態で、前記第１クッションを前記第２クッションに固定可能であることが好ましい。
【００１３】
このような構成によると、第２クッションを折り畳んだ状態で第１クッションに固定することができるため、各個人の体型や腰痛の状態に合わせた高さで第１クッションを固定できる。つまり、第２クッションを折り畳んで第１クッションに固定することにより、第２クッションの高さを高くすることができる。これにより、腰痛を緩和することができる。
【００１４】
また、前記固定部は、ゴムバンドであって、前記ゴムバンドは、前記第１クッションを前記第２クッションに対して前記長手方向に移動可能に固定することが好ましい。
【００１５】
このような構成によると、ゴムバンドを用いて第１クッションを第２クッションに移動可能に固定できるため、各個人の体型や腰痛の状態に合わせて第１クッションの位置を移動させることができる。これにより、腰痛を緩和することができる。
【００１６】
また、前記第２クッションは、弾性部材と、前記弾性部材を覆うカバーと、を有し、前記弾性部材には、前記防災頭巾として機能している際に外側に位置する面であって、前記第２クッションの前記長手方向に直行する方向に全幅に亘って切り込みが形成されていることが好ましい。
【００１７】
このような構成によると、第２クッションの弾性部材には切り込みが形成されているため、多目的クッションが防災頭巾として機能する際、第２クッションを頭部に沿わせて装着することができる。これにより、防災頭巾の付け心地が向上し、無理なく防災頭巾を装着することができる。
【００１８】
また、前記カバーは、前記長手方向に沿ったチャックを有し、前記チャックは、前記カバーの前記長手方向中央部分から前記長手方向外側に移動することにより前記カバーを開放することが好ましい。
【００１９】
このような構成によると、チャックが中央部分から外側に移動するにつれてカバーを開放するため、カバー内に収容された弾性部材を容易に取り出すことができる。
【００２０】
また、前記第２クッションは、前記長手方向に交差する方向が開放された第１ポケットと、前記長手方向の一方が開放された第２ポケットとを有することが好ましい。
【００２１】
このような構成によると、第１ポケット及び第２ポケットに携帯用使い捨てカイロを入れ、第１ポケットをお腹に当てて第２ポケットに両手を入れるように多目的クッションを抱きかかえることで、多目的クッションが保温用クッションとして機能し、体を温めることができる。
【考案の効果】
【００２２】
本考案によると、腰痛防止用クッションと防災頭巾とを兼ねた多目的クッションを提供することができる。
【図面の簡単な説明】
【００２３】
【図１】多目的クッションの斜視図。
【図２】多目的クッションの平面図。
【図３】多目的クッションの底面図。
【図４】多目的クッションを腰痛防止用クッションとして使用した図。
【図５】多目的クッションを腰痛防止用クッションとして使用した図。
【図６】多目的クッションを腰痛防止用クッションとして使用した図。
【図７】多目的クッションを腰痛防止用クッションとして使用した図。
【図８】多目的クッションを腰痛防止用クッションとして使用した図。
【図９】多目的クッションを防災頭巾として使用した図。
【考案を実施するための形態】
【００２４】
本考案の実施の形態を、図１から図９に基づいて説明する。以下の記載において、平行、直行とは、完全に平行、直行ではなく略平行、略直行を含む概念である。図１に示すように上下方向を定義し、図２に示すように前後左右方向を定義する。多目的クッション１の上面を表面、下面を裏面とする。図２における１点鎖線は多目的クッション１内部を示し、図２及び図３における点線は縫合線を示す。
【００２５】
図１に示すように、多目的クッション１は、第１クッション２と、第１クッションよりも大きい第２クッション３と、から構成される。第１クッション２は略直方体であって、第１カバー２１と、第１カバー２１に覆われた２つの第１クッション材２２と（図２）、ゴムバンド２３と、を備えている。ゴムバンド２３は、固定部の一例である。第１クッション２は、図５に示すように、前後方向中央部分を折れ線として折り畳み可能である。
【００２６】
図２に示すように、第２クッション３の左右方向の幅は第１クッション２と略同じであって、第２クッション３の前後方向の長さは第１クッション２の略２倍である。第２クッション３における前後方向は、長手方向の一例である。図１に示すように、第１クッション２の上下方向の厚みと第２クッション３の上下方向の厚みは、略同じである。
【００２７】
第１カバー２１は、難燃性を備えており、例えばポリエステル、ナイロン、綿等に難燃剤を塗布した布や難燃アルミ加工をした布などが用いられる。第１クッション材２２の外表面は、図２の１点鎖線で示すように第１内袋２４に覆われている。第１内袋２４は、綿、ポリエステル、ナイロン等が用いられる。第１クッション材２２は、平面視略長方形であって、前後方向に間隔を隔てて第１カバー２１に収容される。第１クッション材２２は、例えば、防臭、制菌、耐候性を持つクラレ社のサニター（登録商標）を用いることが好ましい。第１クッション材２２は、ウレタンフォーム、難燃性ウレタンフォーム、低反発ウレタンフォーム、低反発スポンジ、ウレタンマット、スポンジマット、化学繊維綿、発砲ビーズ等を用いてもよい。第１クッション材２２の間には、特に縫い目等を設けていない。これにより、第１クッション２を容易に二つ折りにすることができる。第１クッション材２２を確実が第１カバー２１内で移動することを防止するために、第１クッション材２２の間に縫い目を設けてもよい。
【００２８】
ゴムバンド２３は、図３に示すように、第１クッション２の裏面に２つ設けられていて、前後方向に互いに間隔を隔てて配置されている。ゴムバンド２３は、その左右方向端部が第１カバー２１に縫合されている。ゴムバンド２３は、各第１クッション材２２の前後方向中央部分に対応する位置に設けられている。各ゴムバンド２３は、左右方向両端部が第１カバー２１に固定されているため、図３に示す裏面にある状態から表面にある状態にひっくり返すことができる。
【００２９】
第２クッション３は、略直方体であって、第２カバー３１と、第２カバー３１に覆われた２つの第２クッション材３２と、紐取付部３３と、紐３４と（図１）、第１ポケット３５と（図３）、第２ポケット３６と、チャック３８と、を備えている。なお、図２から図９においては、紐３４の表示を省略している。第２クッション３の中央部分には、左右方向全幅に亘って線Ｌに沿って縫合されている。これにより、それぞれの第２クッション材３２が第２カバー３１内で移動することを防止できる。第２カバー３１は、カバーの一例である。第２クッション材３２は、弾性部材の一例である。各紐３４は、係合部及び被係合部の一例である。
【００３０】
第２カバー３１は、第１カバー２１と同様に難燃性の素材が用いられる。第２クッション材３２の外表面は、図２の１点鎖線で示すように第２内袋３７で覆われている。第２内袋３７は、綿、ポリエステル、ナイロン等が用いられる。第２クッション材３２は、第１クッション材２２と同様に、防臭、制菌、耐候性を持つクラレ社のサニター（登録商標）を用いることが好ましい。第２クッション材３２は、ウレタンフォーム、難燃性ウレタンフォーム、低反発ウレタンフォーム、低反発スポンジ、ウレタンマット、スポンジマット、化学繊維綿、発砲ビーズ等を用いてもよい。
【００３１】
各第２クッション材３２は、平面視略正方形であって、前後方向に直交する方向に左右方向全幅に亘って切り込みＧが形成されている。切り込みＧは、第２クッション材３２の前後方向の長さに対して、第２クッション３の中央部分寄りであって、略１／３の位置に形成される。切り込みＧの深さは、第２クッション材３２の厚みよりも小さい。これにより、図９に示すように、多目的クッション１を防災頭巾として使用する際に第２クッション３を頭部に合わせて屈曲させることができる。
【００３２】
紐取付部３３は、第２クッション３の前後方向両端部のそれぞれに設けられている。紐取付部３３は、長手方向が左右方向となるように第２カバー３１に縫合されている。紐取付部３３は、左右方向端部及び中央付近の２か所をカバーに縫合されていて、３つの領域に分割されている。紐３４を任意の領域に取り付けることにより、紐３４の位置を左右方向に調整することができる。紐３４は、それぞれの紐取付部３３に取外可能に固定されている。紐３４は、図９に示すように多目的クッション１を防災頭巾として使用した場合に、人間の顎付近で互いに結んで固定できる程度の長さを有している。紐３４が顎に食い込むことを防止するために、幅広の紐であることが好ましい。
【００３３】
図３に示すように、第２クッション３の底面には、第２クッション３の前部であって第２クッション材３２の中央部分に対応する位置に第１ポケット３５が設けられている。第１ポケット３５は、点線で示すように、後方が開放された略コ字状に第２カバー３１に縫合されている。第２クッション３の後部であって第２クッション材３２の中央部分に対応する位置に第２ポケット３６が設けられている。第２ポケット３６は、左右方向が所定の長さ開放された状態で第２カバー３１に縫合されている。第１ポケット３５及び第２ポケット３６は、携帯用使い捨てカイロを収容可能な程度の大きさを有している。第２ポケット３６の左右方向の端部が部分的に第２カバー３１に縫合されていることにより、第２ポケット３６に収容した物品が落下することを防止できる。
【００３４】
チャック３８は、第２クッション３の右側に前後方向全幅に亘って設けられている。チャック３８のつまみ３９は、前後方向中央部分に２つ設けられていて、各つまみ３９を中央から外側に向けて移動させることで第２カバー３１を開放する。それぞれの第２クッション材３２に対してつまみ３９が設けられているため、第２クッション材３２を第２カバー３１から容易に取り出すことができる。
【００３５】
次に、図４から図８を参照して多目的クッション１を腰痛防止用クッションとして用いる際の使用方法を説明する。
【００３６】
図４に示すように、第２クッション３を椅子４の座面４１及び背もたれ部４２に沿うように配置し、第１クッション２を第２クッション３の背もたれ部４２に対応する位置にゴムバンド２３で固定する。これにより、椅子４に座った際に腰から背中にかけて全体的に第１クッション２に当たるため、腰痛が緩和される。
【００３７】
図５に示すように、第２クッション３を座面４１及び背もたれ部４２に沿うように配置し、第１クッション２を折り畳んだ状態で第２クッション３にゴムバンド２３で固定する。詳細には、２つのゴムバンド２３のうち、一方のゴムバンド２３で第２クッション３を囲むように固定し、他方のゴムバンド２３で第１クッション２の折り畳んだ部分と第２クッション３とを囲むように固定する。第１クッション２は、移動方向Ｍに沿って第２クッション３上を移動させることができる。これにより、第１クッション２を所望の位置に配置できる。例えば、第１クッション２を下端部に配置することで、腰に当たる部分のクッション性をより高め、腰痛を緩和できる。
【００３８】
図６に示すように、第２クッション３を折り畳んだ状態で第１クッション２を折り畳んで第２クッション３に固定する。詳細には、２つのゴムバンド２３のうち、一方のゴムバンド２３で折り畳んだ第２クッション３を囲むように固定し、他方のゴムバンド２３で第１クッション２の折り畳んだ部分と折り畳んだ第２クッション３とを囲むように固定する。第１クッション２は、移動方向Ｍに沿って第２クッション３上を移動させることができる。これにより、第１クッション２を所望の位置に配置することができる。図４及び図５と比較して第２クッション３が折り畳まれた状態であるため、椅子４に座った際に腰から背中にかけてクッション性を全体的に高めることができる。さらに、折り畳んだ第１クッション２により部分的なクッション性をさらに高めることができる。これにより、腰痛を緩和することができる。
【００３９】
図７に示すように、第２クッション３を折り畳んだ状態で背もたれ部４２に沿わせて配置し、第１クッション２を第２クッション３に固定する。詳細には、各ゴムバンド２３で第１クッション２を折り畳んだ第２クッション３に固定する。図４と比較して、腰から背中にかけてより高いクッション性を得られるため、腰痛を緩和することができる。
【００４０】
図８に示すように、第２クッション３を座面４１及び背もたれ部４２に沿うように配置し、第１クッション２を折り畳んだ状態で第２クッション３の座面４１に対応する位置にゴムバンド２３で固定する。これにより、椅子４に座った際に太ももの裏部分が折り畳んだ第１クッション２に当たるため、腰痛が緩和される。図４から図８に示す第１クッション２の位置が第１の位置の一例である。
【００４１】
次に、多目的クッション１を防災頭巾として用いる場合を説明する。図９に示すように、第２クッション３の表面の前後方向中央部分に第１クッション２をゴムバンド２３で固定する。紐３４を互いに結んで、多目的クッション１を頭に固定する。第２クッション３に加えて第１クッション２が頭頂部に相当する部分に固定されているため、その部分の防護性がより高まり、多目的クッション１でより確実に頭部を保護することができる。図９に示す第１クッション２の位置が第２の位置の一例である。
【００４２】
災害時などには、多目的クッション１を保温用クッションとして用いることもできる。第２クッション３を第１ポケット３５、第２ポケット３６が外側になるように折り畳み、第１クッション２を内部に挟む。第１ポケット３５がお腹に当たるように多目的クッション１を抱きかかえ、第２ポケット３６に両手を挿入する。このとき、第１ポケット３５及び第２ポケット３６に携帯用使い捨てカイロを入れておくと、お腹と両手とを同時に温めることができる。また、第１ポケット３５及び第２ポケット３６に保冷材を入れて、冷間用クッションとして用いてもよい。
【００４３】
このような構成によると、多目的クッション１を腰痛防止用クッションとして用いるとともに、防災頭巾として用いることができる。これにより、緊急災害時には、常時使用している腰痛防止用クッションが防災頭巾となり、頭上からの落下物から頭部を保護することができる。多目的クッション１を腰痛防止用クッションとして用いる際は、第１クッション２に加えて第２クッション３のクッション性も加味することができるため、多目的クッション１の柔軟性を高め効果的に腰痛を緩和することができる。多目的クッション１が防災頭巾として機能する際は、第１クッション２と第２クッション３とで頭部を保護することができるため、災害時により安全に避難することができる。腰痛防止用クッションとして機能する際に、紐３４を互いに結び第２クッション３の形状を固定して使用しても良い。
【００４４】
このような構成によると、第１クッション２を折り畳んだ状態で第２クッション３に固定することができるため、各個人の体型や腰痛の状態に合わせた高さで第１クッション２を固定できる。つまり、第１クッション２を折り畳んで第２クッション３に固定することにより、第１クッション２の高さを高くすることができる。これにより、腰痛を緩和することができる。
【００４５】
このような構成によると、第２クッション３を折り畳んだ状態で第１クッション２に固定することができるため、各個人の体型や腰痛の状態に合わせた高さで第１クッション２を固定できる。つまり、第２クッション３を折り畳んで第１クッション２に固定することにより、第２クッション３の高さを高くすることができる。これにより、腰痛を緩和することができる。
【００４６】
このような構成によると、ゴムバンド２３を用いて第１クッション２を第２クッション３に移動可能に固定できるため、各個人の体型や腰痛の状態に合わせて第１クッション２の位置を移動させることができる。これにより、腰痛を緩和することができる。
【００４７】
このような構成によると、第２クッション３の第２クッション材３２には切り込みＧが形成されているため、多目的クッション１が防災頭巾として機能する際、第２クッション３を頭部に沿わせて装着することができる。これにより、防災頭巾の付け心地が向上し、無理なく防災頭巾を装着することができる。
【００４８】
このような構成によると、チャック３８が中央部分から外側に移動するにつれて第２カバー３１を開放するため、第２カバー３１内に収容された第２クッション材３２を容易に取り出すことができる。
【００４９】
このような構成によると、第１ポケット３５及び第２ポケット３６に携帯用使い捨てカイロを入れ、第１ポケット３５をお腹に当てて第２ポケット３６に両手を入れるように多目的クッション１を抱きかかえることで、多目的クッション１が保温用クッションとして機能し、体を温めることができる。
【００５０】
本考案の実施の形態は、上述した実施の形態に限定されず、実用新案登録請求の範囲に記載された考案の要旨の範囲内で種々の変更が可能である。
【００５１】
多目的クッション１は上述した用途に加えて、第２クッション３を広げて第１クッション２を隣接配置させることで赤ちゃんのおむつ替え用マットとして使用することもできる。図４から図８では、多目的クッション１を椅子４に配置したが、車のシートに置いてもよい。特に長距離ドライバー運転手は腰痛を抱えている人も多く、運転中の腰痛を緩和することができる。その他にも、多目的クッション１を座布団、ストレッチ用マットとして用いることもできる。
【００５２】
第１ポケット３５及び第２ポケット３６は一部が開放されていたが、開放されている部分にチャックや面ファスナーを設けてもよい。これにより、災害時に多目的クッション１を防災頭巾として使用しつつ各ポケットに貴重品を入れたまま避難することができる。
【００５３】
第２ポケット３６には、携帯用使い捨てカイロを入れたが、例えばＬＥＤライトを入れてもよい。これにより、多目的クッション１を防災頭巾として使用した際、正面をＬＥＤライトで照らすことができる。
【００５４】
第１クッション２を第２クッション３に固定するためにゴムバンド２３を用いたが、面ファスナー、ボタン、スナップボタン等を用いてもよい。ボタンやスナップボタンを用いる場合には、第１クッション２を第２クッション３に対して複数の位置で固定できるように各ボタンを設けることが好ましい。
【００５５】
多目的クッション１を防災頭巾として使用する際に、第２クッション３を頭部に固定するための手段として紐３４を用いたが、これに代えて面ファスナーやワンタッチバックルを用いてもよい。
【００５６】
第１クッション２は、２つの平面視略長方形の第１クッション材２２を有していたが、第１クッション材を１つにして、中央部分に左右方向全幅に亘って溝を設けてもよい。これにより、図９に示すように多目的クッション１を防災頭巾として使用した場合でも、第１クッション２を頭部の形状に沿わせることができる。
【００５７】
第１クッション２の表面は略平面だったが、第１クッション材２２の表面に凹凸をつけてもよい。これにより、図４及び図７に示す状態で多目的クッション１を腰痛防止用クッションとして使用した場合、凸部が腰部に当たることとにより腰痛を緩和することができる。
【符号の説明】
【００５８】
１    多目的クッション
２    第１クッション
２１  第１カバー
２２  第１クッション材
２３  ゴムバンド
３    第２クッション
３１  第２カバー
３２  第２クッション材
３３  紐取付部
３４  紐
３５  第１ポケット
３６  第２ポケット
３８  チャック
４    椅子
【図１】
0003201476.tif 000003
【図２】
0003201476.tif 000004
【図３】
0003201476.tif 000005
【図４】
0003201476.tif 000006
【図５】
0003201476.tif 000007
【図６】
0003201476.tif 000008
【図７】
0003201476.tif 000009
【図８】
0003201476.tif 000010
【図９】
0003201476.tif 000011